(57)【要約】【課題】本考案は、簡単に机等の脚の高さ調節ができるとともに、高さ調節後に調節ネジが緩まないアジャスターを提供することを課題とする。【解決手段】脚の端部に配置され調節ネジが螺合する螺孔を有する受部と、調節ネジが螺合する螺孔、ロック時にはこの受部に接合する基部及びこの基部の少なくとも外周に配置されたつまみを有するロックプレートと、調節ネジ及びこの調節ネジを支持するベース部を有する高さ調節部と、を含むアジャスターである。【選択図】    図１
0003193834.tif 000002
【実用新案登録請求の範囲】
【請求項１】
脚の端部に配置され調節ネジが螺合する螺孔を有する受部と、
調節ネジが螺合する螺孔、ロック時には該受部に接合する基部及び該基部の少なくとも外周に配置されたつまみを有するロックプレートと、
調節ネジ及び該調節ネジを支持するベース部を有する高さ調節部と、
を含むアジャスター。
【請求項２】
脚の端部に配置され調節ネジが螺合する螺孔を有する受部と、
調節ネジが螺合する螺孔、ロック時には該受部に接合する基部及び該基部の少なくとも外周に配置され対向する切欠が設けられたつまみを有するロックプレートと、
調節ネジ及び該調節ネジを支持するベース部を有する高さ調節部と、
を含むアジャスター。
【請求項３】
上記ロック時には、上記受部の外周部は、基部より上方に張り出すように設けられた上記つまみに内接していることを特徴とする請求項１又は請求項２に記載のアジャスター。
【請求項４】
上記受部における螺孔は、該受部に埋設され調節ネジが螺合するナットにより構成されていることを特徴とする請求項１ないし請求項３のいずれか一項に記載のアジャスター。
【請求項５】
上記つまみには、切欠に隣接して回転の為のガイドが設けられていることを特徴とする請求項２ないし請求項４のいずれか一項に記載のアジャスター。
【請求項６】
上記ベース部は、エラストマーから構成されていることを特徴とする請求項１ないし請求項５のいずれか一項に記載のアジャスター。
【考案の詳細な説明】
【技術分野】
【０００１】
本考案は、机等の脚に取り付けてその高さを調節することができるアジャスターに関する。
【背景技術】
【０００２】
机等の高さを使用者の身長に合わせて調節する場合や、床の凹凸に合わせて机等の水平を保つため脚の高さを調節する場合には、高さ調節部の調節ネジを脚の端部に配置した受部の螺孔に適宜螺合させることにより高さを調節する、アジャスターが使用されている。
【０００３】
従来は、例えば図５に示すようなアジャスターが使用されていた。このアジャスターは、机等の脚の端部に挿入されブッシュ等により固定された樹脂製の受部に調節ネジが螺合する螺孔を形成し、これに高さ調節部を構成する調節ネジを螺合させることにより高さ調節をするものである。
また図５に示すようなアジャスターと同様の原理に基づいたアジャスターの高さ調節部についての改良も提案されている。（例えば、特許文献１、特許文献２参照）
【０００４】
ところが、従来のアジャスターでは、調整ネジのみで高さ調節をするために、使用している内に調整ネジに緩みが生じて机等が安定しないという問題があった。このため、その都度調整ネジを締め付ける必要があった。
【０００５】
そこで、調整ネジの緩みを防止するために、調整ネジにナット等の留め具を介在させて調整ネジにより高さ調節後に、受部にナット等の留め具を強く締め付ける方法も考えられる。しかしこの場合、調整ネジの緩みは無くなるが、締め付けのためにスパナ等の工具を必要とするばかりでなく、机等を他の場所に移動した際の高さ調節にもスパナ等の工具を必要とする。
【０００６】
以上のことから、上記の方法では調整ネジの緩みという問題は解決されるが、高さ調節の都度スパナ等を用いてナット等の留め具を緩めたり、かしめる必要があるため、結局机等の高さ調整を現場で簡単に行えないという問題がある。
【先行技術文献】
【特許文献】
【０００７】
【特許文献１】実開昭４８−１０７５９号公報
【特許文献２】実開昭５８−１６１５５４号公報
【考案の概要】
【考案が解決しようとする課題】
【０００８】
本考案は、これらの問題を解決し、簡単に机等の脚の高さ調節ができるとともに、高さ調節後に調節ネジが緩まないアジャスターを提供することを課題とする。
【課題を解決するための手段】
【０００９】
本考案の上記課題を解決するための手段は、次のとおりである。
（１）脚の端部に配置され調節ネジが螺合する螺孔を有する受部と、
調節ネジが螺合する螺孔、ロック時には該受部に接合する基部及び該基部の少なくとも外周に配置されたつまみを有するロックプレートと、
調節ネジ及び該調節ネジを支持するベース部を有する高さ調節部と、
を含むアジャスター。
（２）脚の端部に配置され調節ネジが螺合する螺孔を有する受部と、
調節ネジが螺合する螺孔、ロック時には該受部に接合する基部及び該基部の少なくとも外周に配置され対向する切欠が設けられたつまみを有するロックプレートと、
調節ネジ及び該調節ネジを支持するベース部を有する高さ調節部と、
を含むアジャスター。
（３）上記ロック時には、上記受部の外周部は、基部より上方に張り出すように設けられた上記つまみに内接していることを特徴とする上記（１）又は上記（２）に記載のアジャスター。
（４）上記受部における螺孔は、該受部に埋設され調節ネジが螺合するナットにより構成されていることを特徴とする上記（１）ないし上記（３）のいずれかに記載のアジャスター。
（５）上記つまみには、切欠に隣接して回転の為のガイドが設けられていることを特徴とする上記（２）ないし上記（４）のいずれかに記載のアジャスター。
（６）上記ベース部は、エラストマーから構成されていることを特徴とする上記（１）ないし上記（５）のいずれかに記載のアジャスター。
【考案の効果】
【００１０】
本考案によれば、次のような効果が得られる。
（１）つまみを有するロックプレートを備えることにより、調整ネジの緩みを防止することができるとともに、現場で簡単に机等の脚の高さ調節が可能となる。
（２）ロックプレートには対向する切欠が設けられたつまみが取り付けられているため、この切欠に指を掛けることで小さな力で十分な締め付け強度が得られる。
（３）ロックプレートのつまみは、基部より上方に張り出すように設けられているため、受部の外周部がつまみに内接し、ロックプレートの厚み分アジャスターとして剥き出しになった調節ネジを固定できるので、調整ネジにかかる負担を軽減できる。
（４）受部の螺孔として、例えば既製品のナットを埋設しているため、受部に螺孔を形成する工程を省略でき、受部製造時のコストを抑えることができる。さらに、受部の素材とは異なる金属性素材としたため、螺孔を受部と一体で生成する場合よりも螺孔の強度が上がり高さ調整後の高さ調整部の緩み幅が小さくなる。
（５）ロックプレートに設けられたつまみには、切欠に隣接してガイドが設けられており、回転方向を視認することができる。
（６）ベース部はエラストマーで構成されており、従来使用されていたポリエチレンよりも柔らかく弾力性があるため、机等の開閉時や床への設置時にアジャスターが衝撃を吸収して床や天板裏面を傷つけることがない。また、エラストマーを採用したことにより、軽い力で簡単に机が滑ってしまうことを解消できる。
【図面の簡単な説明】
【００１１】
【図１】本考案に係るアジャスターの一実施形態の分解断面図である。
【図２】本考案に係るアジャスターのロックプレートの斜視図である。
【図３】本考案に係るアジャスターの操作説明図である。
【図４】本考案に係るアジャスターの他の実施形態である。
【図５】従来のアジャスターの分解断面図である。
【考案を実施するための形態】
【００１２】
（実施形態１）
本考案に係るアジャスターの一実施形態の分解断面図を図１に示す。
図１に示すアジャスターは、脚の端部に配置され調節ネジが螺合する螺孔を有する受部と調節ネジ及び該調節ネジを支持するベース部を有する高さ調節部との間に、調節ネジが螺合する螺孔、ロック時には該受部に接合する基部及び該基部の少なくとも外周に配置されたつまみを有するロックプレートを設けている。
【００１３】
脚の端部に配置された受部の螺孔には、調節ネジがロックプレートを貫通して螺合される。
調節ネジにより高さ調節を行った後、ロックプレートを上昇させ、受部の底にロックプレートの基部を強く接合させることで調節ネジがロックされる。
【００１４】
図１に示すアジャスターでは、受部は、ポリエチレン製であり、机等の脚の端部に嵌合される。嵌合された受部は、受部に設けられたブッシュ等により脚の端部に固定される。また、図１からも分かるように、受部には、調節ネジが螺合する螺孔が内部を貫通して形成されている。
【００１５】
高さ調節部では、エラストマー製のベース部に調節ネジの頭部が埋設されている。
高さ調節部のベース部はエラストマーで構成されているため、従来使用されていたポリエチレンのものよりも耐摩擦性に優れている。このため、使用を続ける中での削れによる変形や経年変化によるがたつきを防止できる。
また、従来使用されていたポリエチレンのものよりも柔らかく弾力性があるため、机等の開閉時や床への設置時にアジャスターが衝撃を吸収して床や天板裏面を傷つけることがない。
【００１６】
さらに、エラストマーを採用したことにより、軽い力で簡単にベース部が滑ってしまうのを解消することができる。
なお、ベース部の底の形状を平面から二重円模様として設置面での隙間を設けることで、滑らなすぎる事態を解消させるようにしてもよい。
【００１７】
図２は、本考案に係るロックプレートの斜視図である。
ロックプレートは、調節ネジが螺合する螺孔を有する基部と該基部の少なくとも外周に配置され対向する切欠が設けられたつまみから構成されている。ロックプレートの基部は、ロック時には、受部の底に接合して調節ネジの緩みを防止する。
【００１８】
基部の外周に配置されるつまみの高さは、基部の厚みと同程度でもよいが、図２に示すように、基部より上方に張り出すように設けることにより次のような効果がある。
ロックプレートを軸方向に上昇させ調整ネジを受部にかしめることで高さ調整後に生じる高さ調整部の緩みを防止することができるが、その際上方に張り出したつまみが受部の外周部に内接することで、ロックプレートの厚み分アジャスターとして剥き出しになった調節ネジを固定できるので、机の開閉等や移動時などに脚が斜めになった時に調整ネジにかかる負担を軽減できる。
【００１９】
つまみには必ずしも切欠は必要ないが、図２に示すロックプレートのように、対向する切欠を設けることにより、この切欠が引っ掛かりの隙間となり、簡単に力を込めることができる。このため、ロックプレートを受部に十分な締め付け強度で固定することが可能となる。
また、つまみにはガイドが形成されておりロックプレートの回転方向を視認することができる。さらに、つまみは突起のない形状となっているため、未就学児童が利用する施設内の備品に使用した場合、園児等が机の下の床を這うなどした際に、不意に怪我をするリスクも軽減できる。
【００２０】
図３は、本考案に係るアジャスターの操作説明図である。
アジャスターのロックプレート及び高さ調整部は、図３の左図に示すように共に脚の端部に配置された受部に接続されて収納されている。
次に、受部のロックプレート及び高さ調整部を受部から共に受部とは反対方向に引出し高さ調節をする。しかる後に、図３の右図のようにロックプレートの切欠に指をかけガイド方向にロックプレートを回して受部の底に強く接合させる。
実施形態１に示すアジャスターでは、基部の上方に張り出したつまみが受部の外周部に内接してロックされている。
【００２１】
（実施形態２）
実施形態１の変形例として、他のアジャスターの分解断面図を図４に示す。
図４に示すアジャスターは、実施形態１のものと基本的に相違するところはないが、特に受部の螺孔を受部とは素材の異なる、例えば金属性素材により構成するものである。
受部の螺孔を受部とは素材の異なる金属性素材とすることで螺孔を受部と一体で生成する場合よりも以下のような効果が期待できる。
【００２２】
まず、螺孔部分を受部よりも高強度の例えばステンレス、鉄といった金属性素材で作製することができるため、螺孔の強度が上がり高さ調整後の高さ調整部の緩み幅が小さくなる。また、螺孔と受部を別素材とすることで、受部の素材に螺孔を生成する必要がなくなり、受部素材の強度を落とすことが可能となる。
次に、受部の螺孔として、例えば既製品のナットを埋設することにより、受部の内部に螺孔を形成する工程を省略でき、受部製造時のコストを抑えることができる。
【００２３】
以上、本考案に係るアジャスターについて好適な実施形態を例示して説明したが、これらの実施形態は本考案の技術的範囲を限定するものでなく、実用新案登録請求の範囲に記載された本考案の要旨を逸脱しない範囲内で各種の変更や修正を加えることができることは言うまでもないことである。
【図１】
0003193834.tif 000003
【図２】
0003193834.tif 000004
【図３】
0003193834.tif 000005
【図４】
0003193834.tif 000006
【図５】
0003193834.tif 000007